(57)【特許請求の範囲】
【請求項１】
ＭＳＰＷアーキテクチャに応用されるインターフェースパラメーター同期方法であって、
ＳＰＥの第１セグメントのＰＷの中の第１ＰＷのリモートＴＰＥから送信された前記第１ＰＷに関連する情報を受信して記録することと、
前記第１ＰＷに関連する情報を前記ＳＰＥの第２セグメントのＰＷのリモートＴＰＥに送信することと、を含み、
前記第１ＰＷに関連する情報には、ラベルスイッチパスを確立するための前記第１ＰＷのリモートＴＰＥのインターフェースパラメーターが含まれていて、
前記第１ＰＷにシングルセグメントのＰＷの取り消しが発生した場合、
前記ＳＰＥの第１セグメントのＰＷの中の第２ＰＷのリモートＴＰＥから送信された前記第２ＰＷに関連する情報を受信して記録することと、
前記第２セグメントのＰＷのリモートＴＰＥに受信したインターフェースパラメーターの削除を指示するためのシグナル取り消しメッセージを前記第２セグメントのＰＷのリモートＴＰＥに送信することと、を更に含み、
前記第２ＰＷに関連する情報には、ラベルスイッチパスを確立するための前記第２ＰＷのリモートＴＰＥのインターフェースパラメーターが含まれていて、
前記シグナル取り消しメッセージを前記第２セグメントのＰＷのリモートＴＰＥに送信する前、
記録された前記第１ＰＷに関連する情報と前記第２ＰＷに関連する情報との中のリモートＴＰＥのインターフェースパラメーターが一致するか否かを判定し、一致しない場合、前記シグナル取り消しメッセージを前記第２セグメントのＰＷのリモートＴＰＥに送信するインターフェースパラメーター同期方法。
【請求項２】
前記シグナル取り消しメッセージを前記第２セグメントのＰＷのリモートＴＰＥに送信した後、
前記第２ＰＷに関連する情報を前記第２セグメントのＰＷのリモートＴＰＥに送信することを更に含む請求項１に記載の方法。
【請求項３】
前記第１ＰＷに関連する情報を記録する前、
所定の戦略に基づいて、前記第１ＰＷを決定することを更に含み、
前記所定の戦略は、
前記ＳＰＥのローカル設定にＰＷの唯一の識別情報が設定されていない場合、所定の設定に基づいて、前記第１セグメントのＰＷの中の１つのＰＷを前記第１ＰＷとして決定すること、又は、
前記ＳＰＥのローカル設定にＰＷの唯一の識別情報が設定されている場合、前記第１セグメントのＰＷのうち、ＰＷ関連情報が先に受信された１つのＰＷを前記第１ＰＷとして決定することを含む請求項１に記載の方法。
【請求項４】
前記関連する情報には、対応するＰＷの、ネクストホップアドレス、ＰＷ識別子、ＰＷタイプ、転送等価クラスＦＥＣタイプの中の少なくとも１つのパラメーターが含まれている請求項１乃至３の中のいずれか１つに記載の方法。
【請求項５】
ＭＳＰＷアーキテクチャに応用されるインターフェースパラメーター同期装置であって、
ＳＰＥの第１セグメントのＰＷの中の第１ＰＷのリモートＴＰＥから送信された前記第１ＰＷに関連する情報を受信して記録するように構成される第１受信モジュールと、
前記第１ＰＷに関連する情報を前記ＳＰＥの第２セグメントのＰＷのリモートＴＰＥに送信するように構成される第１送信モジュールと、を含み、
前記第１ＰＷに関連する情報には、ラベルスイッチパスを確立するための前記第１ＰＷのリモートＴＰＥのインターフェースパラメーターが含まれていて、
前記ＳＰＥの第１セグメントのＰＷの中の第２ＰＷのリモートＴＰＥから送信された前記第２ＰＷに関連する情報を受信して記録するように構成される第２受信モジュールと、
前記第２セグメントのＰＷのリモートＴＰＥに受信したインターフェースパラメーターの削除を指示するためのシグナル取り消しメッセージを前記第２セグメントのＰＷのリモートＴＰＥに送信するように構成される第２送信モジュールと、を更に含み、
前記第２ＰＷに関連する情報には、ラベルスイッチパスを確立するための前記第２ＰＷのリモートＴＰＥのインターフェースパラメーターが含まれていて、
記録された前記第１ＰＷに関連する情報と前記第２ＰＷに関連する情報との中のリモートＴＰＥのインターフェースパラメーターが一致するか否かを判定するように構成される判定モジュールを更に含み、
前記第２送信モジュールは、前記判定モジュールによって一致しないと判定された場合、前記シグナル取り消しメッセージを前記第２セグメントのＰＷのリモートＴＰＥに送信するインターフェースパラメーター同期装置。
【請求項６】
前記第２ＰＷに関連する情報を前記第２セグメントのＰＷのリモートＴＰＥに送信するように構成される第３送信モジュールを更に含む請求項５に記載の装置。
【発明の詳細な説明】
【技術分野】
【０００１】
本発明は、通信分野に関し、具体的に、インターフェースパラメーター同期方法及び装置に関する。
【背景技術】
【０００２】
インターネットプロトコル（Ｉｎｔｅｒｎｅｔ  Ｐｒｏｔｏｃｏｌ、ＩＰと略称）データネットワークの発展に伴って、ＩＰネットワーク自体の拡張可能性、アップグレード可能性、両立できる相互の通信能力も非常に強くなった。しかし、既存の通信ネットワーク、例えばフレームリレー（Ｆｒａｍｅ  Ｒｅｌａｙ、ＦＲと略称）ネットワーク、非同期転送モード（Ａｓｙｎｃｈｒｏｎｏｕｓ  Ｔｒａｎｓｆｅｒ  Ｍｏｄｅ、ＡＴＭと略称）ネットワークのアップグレーディング、拡張、相互の通信の融通性は相対的に悪い。伝送方式やサービスタイプの制限を受けるので、新しく構築されるネットワークの共用性も比較的に悪く、互換管理に不便である。擬似ワイヤエミュレーションエッジツーエッジ（Ｐｓｅｕｄｏ−Ｗｉｒｅ  Ｅｍｕｌａｔｉｏｎ  Ｅｄｇｅ−ｔｏ−Ｅｄｇｅ、ＰＷＥ３と略称）技術は、通信事業者のエッジ機器（Ｐｒｏｖｉｄｅｒ  Ｅｄｇｅ、ＰＥと略称）の間に擬似ワイヤ（Ｐｓｅｕｄｏ−Ｗｉｒｅ、ＰＷと略称、仮想リンクとも呼ばれる）を配置して、パケット交換ネットワークでユーザのイーサネット、フレームリレー、非同期転送モード等のレイヤ−２メッセージを伝送するサービスを提供する。ＰＷＥ３技術によると、通信事業者の異なるサービスを同一ネットワークで伝送することができるので、元のアクセス方式と既存のＩＰバックボーンネットワークとを統合させることができ、ネットワークの重複構築を減少し、経営コストを節約できる。同時に、ＩＰバックボーンネットワークが多様なアクセスネットワークに接続可能であるので、元のデータネットワークを改善し補強することができる。よって、ＰＷＥ３技術は上記メリットを有するので、通信事業者の各種の需要やネットワークの構築においてますます汎用されている。
【０００３】
図１は、既存技術に係る代表的なＰＷＥネットワークの参照モデルを示す図で、図１に示すように、あるユーザのローカルエリアネットワーク１のユーザエッジ機器（Ｃｕｓｔｏｍｅｒ  Ｅｄｇｅ、ＣＥと略称）１が接続回線（Ａｔｔａｃｈｍｅｎｔ  Ｃｉｒｃｕｉｔ、ＡＣと略称）１を介して通信事業者のマルチプロトコルラベルスイッチング（Ｍｕｌｔｉ−Ｐｒｏｔｏｃｏｌ  Ｌａｂｅｌ  Ｓｗｉｔｃｈｉｎｇ、ＭＰＬＳと略称）バックボーンネットワークのエッジ機器ＰＥ１にアクセスし、該ユーザのローカルエリアネットワーク２のユーザエッジ機器ＣＥ２は接続回線ＡＣ２を介して通信事業者のＭＰＬＳバックボーンネットワークのエッジ機器ＰＥ２にアクセスし、通信事業者はＰＥ１とＰＥ２との間で該サービスのために１つの擬似ワイヤを配置する。擬似ワイヤは、方向が相反する１対の単方向のラベルスイッチパス（Ｌａｂｅｌ  Ｓｗｉｔｃｈ  Ｐａｔｈ、ＬＳＰと略称）の集合である。接続回線ＡＣ１から送信される該ユーザのローカルエリアネットワーク１内のメッセージは擬似ワイヤのプロトコルデータユニット（Ｐｒｏｔｏｃｏｌ  Ｄａｔａ  Ｕｎｉｔ、ＰＤＵと略称）としてカプセル化されて、該擬似ワイヤを介して相手側のＰＥ２機器に透き通って伝送される。メッセージは、ＰＥ２機器に達した時、ＰＥ２によるローカル処理を経て、再びローカル形式に回復され、ＡＣ２を介して該ユーザのローカルエリアネットワーク２のネットワークに転送される。ＣＥ２からＣＥ１へのメッセージの転送は上記プロセスに類似する。
【０００４】
ネットワーク環境において、異なるネットワーク通信事業者はそれぞれの原因で各自のドメイン中の擬似ワイヤ終端における通信事業者エッジ機器（ＰＷ  Ｔｅｒｍｉｎａｔｉｎｇ  Ｐｒｏｖｉｄｅｒ  Ｅｄｇｅ、ＴＰＥと略称）間にシングルセグメント擬似ワイヤ（Ｓｉｎｇｌｅ−Ｓｅｇｍｅｎｔ  Ｐｓｅｕｄｏ−Ｗｉｒｅ、ＳＳＰＷと略称）を確立（ｅｓｔａｂｌｉｓｈ）することができず、例えば、セキュリティ方面の原因で通信事業者は各自のドメイン中のＴＰＥ間に直接に接続されるＰＷ制御通路を形成することができないことや、拡張可能性の方面の原因で通信事業者は各自のドメインにおいて異なるパケット交換ネットワーク（Ｐａｃｋｅｔ  Ｓｗｉｔｃｈｅｄ  Ｎｅｔｗｏｒｋ、ＰＳＮと略称）カプセル化技術を利用すること、通信事業者は異なるネットワーク間のトラフィックの交換を制御するため、各自のネットワークにおいて異なるＰＷＥ３シグナルプロトコルを用いることなどである。従って、異なるネットワーク通信事業者間でマルチセグメント擬似ワイヤ（Ｍｕｌｔｉ−Ｓｅｇｍｅｎｔ  Ｐｓｅｕｄｏ−Ｗｉｒｅ、ＭＳＰＷと略称）によってＴＰＥ間の相互接続を実現しなければならない。そして、大型サービス提供者ネットワークにおいて、ネットワークエッジに多くの集合（ａｇｇｒｅｇａｔｉｏｎ）機器を含み、各機器が１つのＰＥである可能性があって、ネットワーク中のＰＷは帯域幅が明確に保証されているので、トラフィックエンジニアリング（Ｔｒａｆｆｉｃ  Ｅｎｇｉｎｅｅｒｉｎｇ、ＴＥと略称）をＰＷのＰＳＮトンネルとする。このような状況下、ＳＳＰＷアーキテクチャを用いると、ＴＥトンネルのオーバーヘッドが増加し、更に、これらのトンネルをサポートするＰＥとコアネットワークＰＥの数量が増加することになるので、サービス提供者は、該ネットワークを複数のＰＷＥ３ドメインに分割し、各ＰＷＥ３ドメイン間でＭＳＰＷアーキテクチャを用いる可能性がある。アクセスネットワークとメトロポリタン・エリア・ネットワークにおいて、サービス提供者は、メンテナンス可能性を向上させ、運行コストを低減するため、ＭＳＰＷアーキテクチャを使用することもある。
【０００５】
ＭＳＰＷの確立メカニズムは以下のような３種類がある：
（１）静的配置：擬似ワイヤの交換ノードの通信事業者エッジ機器（ＰＷ  Ｓｗｉｔｃｈｉｎｇ  Ｐｒｏｖｉｄｅｒ  Ｅｄｇｅ、ＳＰＥと略称）で手動で各セグメントのＰＷを配置する。
【０００６】
（２）経路を予め設定：ＰＷ経路を予め設定し、エッジツーエッジシグナルプロトコルを用いてＳＰＥ間で自動的に各セグメントのＰＷを継ぎ合わせる。
【０００７】
（３）シグナルによる動的な経路の選択：ＰＷ経路の確立は、エッジツーエッジシグナルプロトコルによって１つ又は複数の動的ルーティングプロトコルを用いて動的に確定され、ＳＰＥ間で自動的に各セグメントのＰＷが継ぎ合わせられる。
【０００８】
ＭＳＰＷの確立が第１種のメカニズムである場合には、ＭＳＰＷシグナル中において、各セグメントのＰＷの転送等価クラス（Ｆｏｒｗａｒｄｉｎｇ  Ｅｑｕｉｖａｌｅｎｃｅ  Ｃｌａｓｓ、ＦＥＣと略称）のタイプが全て同じである場合に、ＳＰＥはＰＷＥ３シグナルメッセージをリモート機器へ自発的にトリガーすることができず、必ず、少なくともあるセグメントのＰＷリモート機器からのＰＷＥ３シグナルメッセージを受信した時に次のセグメントのＰＷのリモート機器へＰＷＥ３シグナルメッセージをトリガーするしかできない。図２は既存技術による代表的なＭＳＰＷネットワークの参照モデルを示す図で、図２に示すように、ＴＰＥ１とＴＰＥ２との間にＭＳＰＷを確立するため、ＳＰＥで手動でリンクＰＷ１とＰＷ２を配置し、且つＰＷ１とＰＷ２は同様なＰＷ  ＦＥＣタイプである。ＴＰＥ１とＴＰＥ２はＰＷ関連情報（インターフェースパラメーターを含む）を手動で配置し、ＴＰＥ１はＰＷＥ３シグナルメッセージをＳＰＥに送信し、ＳＰＥはＴＰＥ１からのＰＷＥ３シグナルメッセージを受信した後、解析してメッセージ中の関連データ（インターフェースパラメーターを含む）を保存し、そして、ＳＰＥはＴＰＥ２にＴＰＥ１インターフェースパラメーターを含むＰＷＥ３シグナルメッセージを送信し、ＴＰＥ２はＳＰＥから送信されたＰＷＥ３シグナルメッセージを受信した後、解析して該シグナルメッセージ中の関連データ（インターフェースパラメーターを含む）を保存し、また、ローカル構成パラメーターと協商し、協商に成功した後、当該ＰＷを確立してＬＳＰを形成する。ＴＰＥ２からＴＰＥ１へのＰＷＥ３シグナルメッセージの送信プロセスは上記プロセスに類似する。
【０００９】
ネットワーク信頼性に対するユーザの要求が高まっているに伴って、通信事業者は、あるＰＷリンクが失効した時、候補ＰＷリンクを早速探してその前のＰＷリンクの代わりに動作を継続するように、ＰＷサービスに保護措置をとる必要がある。伝統的なＰＷサービス保護は、ＰＳＮトンネルレベルに基づくものであり、即ち、ＰＷの外層トンネルに、冗長保護技術、例えばラベル配布プロトコル（Ｌａｂｅl  Ｄｉｓｔｒｉｂｕｔｉｏｎ  Ｐｒｏｔｏｃｏｌ、ＬＤＰと略称）による高速再ルート（Ｆａｓｔ  Ｒｅｒｏｕｔｅ、ＦＲＲと略称）技術又はリソース保留プロトコル−トラフィックエンジニアリング（ＲｅＳｏｕｒｃｅ  Ｒｅｓｅｒｖａｔｉｏｎ  Ｐｒｏｔｏｃｏｌ−Ｔｒａｆｆｉｃ  Ｅｎｇｉｎｅｅｒｉｎｇ、ＲＳＶＰ−ＴＥと略称）によるＦＲＲ技術をとる。しかし、これらによると、ＰＷに基づくエッジツーエッジのサービスに対する保護は不充分である。例えば、擬似ワイヤサービスアクセス側の失効、ＴＰＥノードの失効、ＳＰＥノードの失効等について、ＰＳＮ層の冗長保護措置は作用を果たすことができない。よって、当該分野において擬似ワイヤサービスレベルに基づく冗長保護メカニズムが提案されている。
【００１０】
ＭＳＰＷシナリオにおけるＡＣ失効、ＴＰＥノード失効、ＳＰＥノード失効、ＰＷ失効等の状況を保護するため、関連技術において、ＣＥデュアルホーミングＭＳＰＷ冗長保護案を採用しており、図３は既存技術によるデュアルホーミングＭＳＰＷ冗長保護シナリオを示す図で、図３に示すように、ＣＥ１はＴＰＥ１とＴＰＥ２に、ＣＥ２はＴＰＥ３とＴＰＥ４にデュアルホーム（ｄｕａｌ−ｈｏｍｅ）される。ＰＷ１１はＴＰＥ１をＳＰＥ１に、ＰＷ２１、ＰＷ２２はそれぞれＴＰＥ２をＳＰＥ１、ＳＰＥ２に、ＰＷ１３、ＰＷ１４はそれぞれＳＰＥ１をＴＰＥ３、ＴＰＥ４に、ＰＷ２３、ＰＷ２４はそれぞれＳＰＥ２をＴＰＥ３、ＴＰＥ４にリンクする。同様に、ＰＷ１３、ＰＷ２３はそれぞれＴＰＥ３をＳＰＥ１、ＳＰＥ２に、ＰＷ１４、ＰＷ２４はそれぞれＴＰＥ４をＳＰＥ１、ＳＰＥ２に、ＰＷ１１、ＰＷ２１はそれぞれＳＰＥ１をＴＰＥ１、ＴＰＥ２に、ＰＷ２２はＳＰＥ２をＴＰＥ２にリンクする。ＰＷＥ３シグナルがＬＳＰの形成を完成した後、ＣＥ１からＣＥ２へ形成される利用可能なデータ転送経路は、
ＣＥ１―ＡＣ１―ＴＰＥ１―ＰＷ１１―ＳＰＥ１―ＰＷ１３―ＴＰＥ３―ＡＣ３―ＣＥ２、
ＣＥ１―ＡＣ１―ＴＰＥ１―ＰＷ１１―ＳＰＥ１―ＰＷ１４―ＴＰＥ４―ＡＣ４―ＣＥ２、
ＣＥ１―ＡＣ２―ＴＰＥ２―ＰＷ２１―ＳＰＥ１―ＰＷ１３―ＴＰＥ３―ＡＣ３―ＣＥ２、
ＣＥ１―ＡＣ２―ＴＰＥ２―ＰＷ２１―ＳＰＥ１―ＰＷ１４―ＴＰＥ４―ＡＣ４―ＣＥ２、
ＣＥ１―ＡＣ２―ＴＰＥ２―ＰＷ２２―ＳＰＥ２―ＰＷ２３―ＴＰＥ３―ＡＣ３―ＣＥ２、
ＣＥ１―ＡＣ２―ＴＰＥ２―ＰＷ２２―ＳＰＥ２―ＰＷ２４―ＴＰＥ４―ＡＣ４―ＣＥ２である。
【００１１】
いずれのＡＣも失効していない安定的な状態において、ＣＥ１からＣＥ２へはただ１つのＬＳＰのみを選択してトラフィックの転送を行い、トラフィックの転送用として選択された経路は、ＣＥ１―ＡＣ１―ＴＰＥ１―ＰＷ１１―ＳＰＥ１―ＰＷ１３―ＴＰＥ３―ＡＣ３―ＣＥ２であるとする。該トラフィック転送経路において、ＣＥ１とＣＥ２のノード以外に、各ノードが単独に失効すると、いずれも有効に保護されることができ、いずれも局所収束を行うことができる。例えば、ＳＰＥ１ノードが失効すると、トラフィック経路はＣＥ１―ＡＣ２―ＴＰＥ２―ＰＷ２２―ＳＰＥ２―ＰＷ２３―ＴＰＥ３―ＡＣ３―ＣＥ２に切り替えられる。ＰＷ１３に失効故障が発生すると、ＳＰＥ１はトラフィックをＰＷ１４に切り替えると共に、ＣＥ２はトラフィックをＡＣ４に切り替え、ＣＥ１からＣＥ２へのトラフィック転送経路がＣＥ１―ＡＣ１―ＴＰＥ１―ＰＷ１１―ＳＰＥ１―ＰＷ１４―ＴＰＥ４―ＡＣ４―ＣＥ２に切り替えられる。従って、当該シナリオにおいて、単一のＴＰＥ又はＳＰＥノードの失効又はＰＷのシングルセグメントの失効によって、ＣＥ１からＣＥ２への転送経路全体の切り替えが行われるのではなく、局部的な切り替えのみが発生し、トラフィック転送経路の局所収束が実現され、切り替え効率が向上する。トラフィック転送経路に複数のＴＰＥとＳＰＥの失効が発生しても、トラフィック転送経路の全局的な切り替えを行うことができる。例えば、ＴＰＥ１、ＳＰＥ１、ＴＰＥ３が全部失効すると、トラフィック転送経路はＣＥ１―ＡＣ２―ＴＰＥ２―ＰＷ２２―ＳＰＥ２―ＰＷ２４―ＴＰＥ４―ＡＣ４―ＣＥ２に切り替えられる。
【００１２】
本発明の発明者らは、研究中に、以下の発見をした。即ち、図３に示すＭＳＰＷ冗長シナリオにおいて、ＴＰＥ１とＴＰＥ２がそれぞれＡＣ１とＡＣ２を介して同一のＣＥ機器にリンクされるので、同一サービスの場合、ＴＰＥ１とＴＰＥ２のアクセス側のインターフェースパラメーターは同じく設定されるはずである。しかし、ＴＰＥ１とＴＰＥ２のアクセス側のインターフェースパラメーターがユーザにより設定されるので、ユーザによる設定が一致しないことでＳＰＥの同一側におけるマスター／スタンバイＳＳＰＷのリモートインターフェースパラメーターが一致しないことが発生し、最終的にＬＳＰ転送経路で正しくないインターフェースパラメーターを使用することが発生する。
【００１３】
以下、ＰＷインターフェースパラメーターのうち、仮想回線接続性検証（Ｖｉｒｔｕａｌ  Ｃｏｎｎｅｃｔｉｏｎ  Ｃｏｎｎｅｃｔｉｖｉｔｙ  Ｖｅｒｉｆｉｃａｔｉｏｎ、ＶＣＣＶと略称）パラメーターを選択して上記欠陥を説明する。図４ａは、既存技術によるＶＣＣＶパラメーターのローカル設定の修正時のデュアルホーミングＭＳＰＷ冗長保護シナリオでのシグナル相互通信を示す図で、図４ａに示すシグナル相互通信プロセスは以下のステップを含む。
【００１４】
ステップ４１：ＴＰＥ１、ＴＰＥ２、ＴＰＥ３、ＴＰＥ４は、一致するＶＣＣＶパラメーターをローカルに設定し、ここで、ＣＣＴＹＰＥは０ｘ０１で、ＣＶＴＹＰＥは０ｘ０４である。
【００１５】
ステップ４２：ＰＷＥ３シグナル中において、ＰＷ１１、ＰＷ２２、ＰＷ１３、ＰＷ１４は協商に成功してＬＳＰを形成し、そのＶＣＣＶ協商値はＣＣＴＹＰＥが０ｘ０１で、ＣＶＴＹＰＥが０ｘ０４である。
【００１６】
ステップ４３：ＣＥ１からＣＥ２へのトラフィック転送経路をＣＥ１―ＡＣ１―ＴＰＥ１―ＰＷ１１―ＳＰＥ１―ＰＷ１３―ＴＰＥ３―ＡＣ３―ＣＥ２とすると、この時、応用の需要に応じて、ユーザは転送ＬＳＰ経路のＶＣＣＶ協商値を０ｘ０１のＣＣＴＹＰＥ、０ｘ０８のＣＶＴＹＰＥに修正することを希望している。ユーザは、ＴＰＥ１ローカルで設定を削除し、ＶＣＣＶ値を、ＣＣＴＹＰＥが０ｘ０１、ＣＶＴＹＰＥが０ｘ０８であるように再び設定する。
【００１７】
ステップ４４：ＴＰＥ１はＳＰＥ１にＰＷＥ３シグナル取り消しメッセージをトリガーし、ＰＷ１１のシングルセグメントＬＳＰをローカルで取り消す。ＳＰＥ１はＴＰＥ１からのＰＷＥ３シグナル取り消しメッセージを受信して、ＰＷ１１のローカルシングルセグメントＬＳＰを取り消し、ローカルでの切り替えをトリガーして、トラフィックをＰＷ１１からＰＷ２１へ切り替えると共に、ＣＥ１はＰＷ１１の失効を感知し、トラフィックをＡＣ２に切り替える。この時、トラフィック転送経路はＣＥ１―ＡＣ２―ＴＰＥ２―ＰＷ２１―ＳＰＥ１―ＰＷ１３―ＴＰＥ３―ＡＣ３―ＣＥ２である。当該過程において、ＳＰＥ１の右側では左側のトラフィック切り替えを感知できない。
【００１８】
ステップ４５：ＴＰＥ１はＶＣＣＶの新しいパラメーター値を用いてローカル協商を行い、ＰＷ１１のシングルセグメントＬＳＰを形成し、ここで、ＴＰＥ１は、協商時に、ローカルＶＣＣＶ値とリモートＶＣＣＶ値を用いて「ＡＮＤ（＆）」操作をとり、ＴＰＥ１のＶＣＣＶの新規協商値はＣＣＴＹＰＥが０ｘ０１で、ＣＶＴＹＰＥが０ｘ００であり、その同時に、ＴＰＥ１はＳＰＥ１へのＰＷＥ３シグナルメッセージをトリガーし、ＳＰＥ１はＴＰＥ１からのＰＷＥ３シグナルメッセージを受信し、ＰＷ１１のシングルセグメントＬＳＰをローカルで形成する。
【００１９】
ステップ４６：ユーザは継続してＴＰＥ２ローカルでＰＷ２１設定を削除し、ＶＣＣＶ値を、ＣＣＴＹＰＥが０ｘ０１で、ＣＶＴＹＰＥが０ｘ０８であるように改めて設定する。ＴＰＥ２はＳＰＥ１へＰＷＥ３シグナル取り消しメッセージをトリガーし、ローカルでＰＷ２１のシングルセグメントＬＳＰを取り消し、ＳＰＥ１はＴＰＥ２からのＰＷＥ３シグナル取り消しメッセージを受信し、ローカルでのＰＷ２１のシングルセグメントＬＳＰを取り消し、ローカルでの切り替えをトリガーし、トラフィックをＰＷ２１からＰＷ１１に切り替えると共に、ＣＥ１はＰＷ２１の失効を感知し、トラフィックをＡＣ１に切り替える。この時、トラフィック転送経路はＣＥ１―ＡＣ１―ＴＰＥ１―ＰＷ１１―ＳＰＥ１―ＰＷ１３―ＴＰＥ３―ＡＣ３―ＣＥ２である。当該過程において、ＳＰＥ１の右側では左側のトラフィック切り替えを感知できない。
【００２０】
ステップ４７：ＴＰＥ２はＶＣＣＶの新しいパラメーター値を用いてローカル協商を行い、ＰＷ１１のシングルセグメントＬＳＰを形成し、ここで、ＴＰＥ２は、協商時に、ローカルＶＣＣＶ値とリモートＶＣＣＶ値を用いて「＆」操作をとり、ＴＰＥ２の新規ＶＣＣＶ協商値はＣＣＴＹＰＥが０ｘ０１で、ＣＶＴＹＰＥが０ｘ００であり、同時に、ＴＰＥ２はＳＰＥ１へのＰＷＥ３シグナルメッセージをトリガーし、ＳＰＥ１はＴＰＥ２からのＰＷＥ３シグナルメッセージを受信し、ＰＷ１１のシングルセグメントＬＳＰをローカルで形成する。
【００２１】
このように、プロセス全般において、ＳＰＥの右側機器ＴＰＥ３、ＴＰＥ４はＴＰＥ１、ＴＰＥ２機器のローカルパラメーターの変更を感知できない。図４ｂは、既存技術に係るＩｎｔｅｒｆａｃｅパラメーターのローカル設定の修正時のデュアルホーミングＭＳＰＷ冗長保護シナリオでのシグナル相互通信を示す図で、図４ｂに示すように、同様に、ユーザはそれぞれＴＰＥ３上のＰＷ１３とＴＰＥ４上のＰＷ１４に同じ設定操作を行い、上記設定プロセスを経て、最終的に、ＴＰＥ１上のＰＷ１１、ＴＰＥ２上のＰＷ２１、ＴＰＥ３上のＰＷ１３、ＴＰＥ４上のＰＷ１４のＶＣＣＶ設定値はいずれも、ＣＣＴＹＰＥが０ｘ０１で、ＣＶＴＹＰＥが０ｘ０８である一方、記録されたリモートＶＣＣＶ値は常に、ＣＣＴＹＰＥが０ｘ０１で、ＣＶＴＹＰＥが０ｘ０４である。これにより、ＶＣＣＶ値の協商結果として、ＣＣＴＹＰＥが０ｘ０１で、ＣＶＴＹＰＥが０ｘ００であるため、相手側の機器は正確なインターフェースパラメーター値を使用して協商してＰＷを確立することができなくなる。
【００２２】
既存技術において相手側の機器がローカル機器のインターフェースパラメーターの更新を即時に感知できないことによる問題について、未だに有効な解決案が提示されていない。
【発明の概要】
【発明が解決しようとする課題】
【００２３】
本発明の実施例は、少なくとも相手側の機器がローカル機器のインターフェースパラメーターの更新を即時に感知できないことによる問題を解決できるインターフェースパラメーター同期方法及び装置を提供する。
【課題を解決するための手段】
【００２４】
本発明の実施例の一態様によると、ＳＰＥの第１セグメントのＰＷの中の第１ＰＷのリモートＴＰＥから送信された前記第１ＰＷに関連する情報を受信して記録することと、前記第１ＰＷに関連する情報を前記ＳＰＥの第２セグメントのＰＷのリモートＴＰＥに送信することと、を含み、前記第１ＰＷに関連する情報には、ラベルスイッチパスを確立するための前記第１ＰＷのリモートＴＰＥのインターフェースパラメーターが含まれているインターフェースパラメーター同期方法を提供する。
【００２５】
前記第１ＰＷにシングルセグメントのＰＷの取り消し（ｗｉｔｈｄｒａｗ）が発生した場合、前記方法は、前記ＳＰＥの第１セグメントのＰＷの中の第２ＰＷのリモートＴＰＥから送信された前記第２ＰＷに関連する情報を受信して記録することと、前記第２セグメントのＰＷのリモートＴＰＥに受信したインターフェースパラメーターの削除（除去）を指示するためのシグナル取り消しメッセージを前記第２セグメントのＰＷのリモートＴＰＥに送信することと、を更に含み、前記第２ＰＷに関連する情報には、ラベルスイッチパスを確立するための前記第２ＰＷのリモートＴＰＥのインターフェースパラメーターが含まれていることが好ましい。
【００２６】
前記シグナル取り消しメッセージを前記第２セグメントのＰＷのリモートＴＰＥに送信する前、前記方法は、記録された前記第１ＰＷに関連する情報と前記第２ＰＷに関連する情報との中のリモートＴＰＥのインターフェースパラメーターが一致するか否かを判定し、一致しない場合、前記シグナル取り消しメッセージを前記第２セグメントのＰＷのリモートＴＰＥに送信することを更に含むことが好ましい。
【００２７】
前記シグナル取り消しメッセージを前記第２セグメントのＰＷのリモートＴＰＥに送信した後、前記方法は、前記第２ＰＷに関連する情報を前記第２セグメントのＰＷのリモートＴＰＥに送信することを更に含むことが好ましい。
【００２８】
前記第１ＰＷに関連する情報に基づいてラベルスイッチパスを確立する前、前記方法は、所定の戦略に基づいて、前記第１ＰＷを決定することを更に含むことが好ましい。
【００２９】
前記所定の戦略は、前記ＳＰＥのローカル設定（ｌｏｃａｌ  ｃｏｎｆｉｇｕｒａｔｉｏｎ）にＰＷの唯一の識別情報が設定されていない場合、所定の設定（コンフィグレーション）に基づいて、前記第１セグメントのＰＷの中の１つのＰＷを前記第１ＰＷとして決定すること、又は、前記ＳＰＥのローカル設定にＰＷの唯一の識別情報が設定されている場合、前記第１セグメントのＰＷのうち、ＰＷ関連情報が先に受信された１つのＰＷを前記第１ＰＷとして決定することを含むことが好ましい。
【００３０】
前記関連する情報には、対応するＰＷの、ネクストホップアドレス、ＰＷ識別子、ＰＷタイプ、ＦＥＣタイプの中の少なくとも１つのパラメーターが含まれていることが好ましい。
【００３１】
本発明の他の一態様によると、ＳＰＥの第１セグメントのＰＷの中の第１ＰＷのリモートＴＰＥから送信された前記第１ＰＷに関連する情報を受信して記録するように構成される第１受信モジュールと、前記第１ＰＷに関連する情報を前記ＳＰＥの第２セグメントのＰＷのリモートＴＰＥに送信するように構成される第１送信モジュールと、を含み、前記第１ＰＷに関連する情報には、ラベルスイッチパスを確立するための前記第１ＰＷのリモートＴＰＥのインターフェースパラメーターが含まれているインターフェースパラメーター同期装置を提供する。
【００３２】
前記装置は、前記ＳＰＥの第１セグメントのＰＷの中の第２ＰＷのリモートＴＰＥから送信された前記第２ＰＷに関連する情報を受信して記録するように構成される第２受信モジュールと、前記第２セグメントのＰＷのリモートＴＰＥに受信したインターフェースパラメーターの削除を指示するためのシグナル取り消しメッセージを前記第２セグメントのＰＷのリモートＴＰＥに送信するように構成される第２送信モジュールと、を更に含み、
前記第２ＰＷに関連する情報には、ラベルスイッチパスを確立するための前記第２ＰＷのリモートＴＰＥのインターフェースパラメーターが含まれていることが好ましい。
【００３３】
前記装置は、記録された前記第１ＰＷに関連する情報と前記第２ＰＷに関連する情報との中のリモートＴＰＥのインターフェースパラメーターが一致するか否かを判定するように構成される判定モジュールを更に含み、前記第２送信モジュールは、前記判定モジュールによって一致しないと判定された場合、前記シグナル取り消しメッセージを前記第２セグメントのＰＷのリモートＴＰＥに送信することが好ましい。
【００３４】
前記装置は、前記第２ＰＷに関連する情報を前記第２セグメントのＰＷのリモートＴＰＥに送信するように構成される第３送信モジュールを更に含むことが好ましい。
【発明の効果】
【００３５】
本発明の実施例によれば、ＳＰＥの第１セグメントのＰＷの中の第１ＰＷのリモートＴＰＥから送信された該第１ＰＷに関連する情報を受信して記録し、そして、該第１ＰＷに関連する情報をＳＰＥの第２セグメントのＰＷのリモートＴＰＥに送信することで、相手側の機器がローカル機器のインターフェースパラメーターの更新を即時に感知できないことによる問題を解決し、相手側の機器が正確なインターフェースパラメーター値を用いて協商してＰＷを確立することができ、ここで、該第１ＰＷに関連する情報にラベルスイッチパスを確立するための第１ＰＷのリモートＴＰＥのインターフェースパラメーターが含まれている。
【図面の簡単な説明】
【００３６】
ここで説明する図面は本発明を一層理解させるためのもので、本願の一部を構成し、本発明に示す実施例及びその説明は本発明を解釈するもので、本発明を限定するものではない。
【図１】既存技術に係る代表的なＰＷＥネットワークの参照モデルを示す図である。
【図２】既存技術に係る代表的なＭＳＰＷネットワークの参照モデルを示す図である。
【図３】既存技術に係るデュアルホーミングＭＳＰＷ冗長保護シナリオを示す図である。
【図４ａ】既存技術に係るＶＣＣＶパラメーターのローカル設定の修正時のデュアルホーミングＭＳＰＷ冗長保護シナリオでのシグナル相互通信を示す図である。
【図４ｂ】既存技術に係るＩｎｔｅｒｆａｃｅパラメーターのローカル設定の修正時のデュアルホーミングＭＳＰＷ冗長保護シナリオでのシグナル相互通信を示す図である。
【図５】本発明の実施例に係るインターフェースパラメーター同期方法を示すフローチャートである。
【図６】本発明の実施例に係るインターフェースパラメーター同期装置の構成を示す図である。
【図７】本発明の実施例に係るインターフェースパラメーター同期装置の好適な構成を示す図の１である。
【図８】本発明の実施例に係るインターフェースパラメーター同期装置の好適な構成を示す図の２である。
【図９】本発明の実施例に係るインターフェースパラメーター同期装置の好適な構成を示す図の３である。
【図１０】本発明の実施例に係るインターフェースパラメーター同期装置の好適な構成を示す図の４である。
【図１１】本発明の好適な実施例に係るインターフェースパラメーターが一致しない時の処理メカニズムのシグナル相互通信を示す図である。
【発明を実施するための形態】
【００３７】
尚、衝突しない限り、本願の実施例及び実施例中の特徴を組み合わせることができる。以下、図面を参照しつつ実施例を結合して本発明を詳しく説明する。
【００３８】
図面に示すプロセスは例えば１セットのコンピューターが命令を実行可能なコンピューターシステムにおいて実行することができ、また、フローチャートに論理順を示しているが、場合によっては、当該順と異なる順で図面に示すステップ又は説明したステップを実行することができる。例えば、以下の実施例におけるステップＳ５０２とステップＳ５０４の実行順は限定されず、同時に実行することも可能である。
【００３９】
本実施例においてインターフェースパラメーター同期方法を提供し、図５は本発明の実施例に係るインターフェースパラメーター同期方法を示すフローチャートで、図５に示すように、該プロセスは以下のステップを含む。
【００４０】
ＳＰＥの第１セグメントのＰＷの中の第１ＰＷのリモートＴＰＥから送信された第１ＰＷに関連する情報を受信して記録し（ステップＳ５０２）、ここで、第１ＰＷに関連する情報にラベルスイッチパスを確立するための第１ＰＷのリモートＴＰＥのインターフェースパラメーターが含まれている。
【００４１】
第１ＰＷに関連する情報をＳＰＥの第２セグメントのＰＷのリモートＴＰＥに送信する（ステップＳ５０４）。
【００４２】
上記ステップによると、ＳＰＥがラベルスイッチパスを確立する場合、第１ＰＷに関連する情報を（例えば、ＰＷＥ３シグナルを介して）第２セグメントのＰＷのリモートＴＰＥに送信することで、第２セグメントのＰＷのリモートＴＰＥが第１ＰＷのリモートＴＰＥのインターフェースパラメーターを感知することが可能になる。既存技術に比べ、上記実施例を、第１ＰＷのリモートＴＰＥをローカル機器とし、第２セグメントのＰＷのリモートＴＰＥを相手側の機器とすることに応用した場合、相手側の機器がローカル機器のインターフェースパラメーターの更新を即時に感知できないことによる問題を解決し、相手側の機器が正確なインターフェースパラメーター値を用いて協商してＰＷを確立することができる。
【００４３】
ＬＳＰが確立された第１ＰＷにシングルセグメントのＰＷの取り消しが発生した場合、該方法は、ＳＰＥの第１セグメントのＰＷの中の第２ＰＷのリモートＴＰＥから送信された第２ＰＷに関連する情報を受信して記録することと、第２セグメントのＰＷのリモートＴＰＥに受信したインターフェースパラメーターの削除を指示するためのシグナル取り消しメッセージを第２セグメントのＰＷのリモートＴＰＥに送信することとを更に含み、ここで、第２ＰＷに関連する情報にラベルスイッチパスを確立するための第２ＰＷのリモートＴＰＥのインターフェースパラメーターが含まれることが好ましい。第１セグメントのＰＷに保護グループを構成する第１ＰＷと第２ＰＷが含まれることが好ましい。第２セグメントのＰＷに保護グループを構成する１つ又は複数のＰＷが含まれ、それぞれ１つ又は複数のリモートＴＰＥに対応させることが好ましい。
【００４４】
第２セグメントのＰＷのリモートＴＰＥのインターフェースパラメーターを削除（除去）した後、該リモートＴＰＥは、ＳＰＥから送信されたインターフェースパラメーター又はユーザが自発的に設定したインターフェースパラメーターを受信してパラメーターの設定を行う必要がある。ローカル側のインターフェースパラメーターと相手側のインターフェースパラメーターが変更されていない場合、即ち、初期設定が一致するインターフェースパラメーター設定である場合、シグナルリソースとシステムのオーバーヘッドを節約するため、シグナル取り消しメッセージを相手側のＴＰＥに送信しないことが好ましい。例えば、シグナル取り消しメッセージを第２セグメントのＰＷのリモートＴＰＥに送信する前、記録された第１ＰＷに関連する情報と第２ＰＷに関連する情報との中のリモートＴＰＥのインターフェースパラメーターが一致するか否かを判定し、一致しない場合、シグナル取り消しメッセージを第２セグメントのＰＷのリモートＴＰＥに送信する。
【００４５】
シグナル取り消しメッセージを第２セグメントのＰＷのリモートＴＰＥに送信した後、更に、第２ＰＷに関連する情報を第２セグメントのＰＷのリモートＴＰＥに送信することで、第２ＰＷのインターフェースパラメーターを第２セグメントのＰＷの１つ又は複数のリモートＴＰＥに伝達し、対応するＴＰＥに対する設定を実現することが好ましい。
【００４６】
第１ＰＷに関連する情報を記録する前、所定の戦略に基づいて、第１セグメントのＰＷの保護グループの複数のＰＷから第１ＰＷを決定することが好ましい。
【００４７】
該所定の戦略は、第１セグメントのＰＷの中のＰＷに関連する情報を受信した後、ローカル設定を行う場合、設定において第１セグメントのＰＷのうち、１つのＰＷを第１ＰＷとして決定すること、又は、ローカル設定を行った後、第１セグメントのＰＷの中の１つのＰＷに関連する情報を受信する場合、第１セグメントのＰＷのうち、ＰＷ関連情報がＳＰＥにより先に受信された１つのＰＷを第１ＰＷとして決定すること、を含むことが好ましい。例えば、ＳＰＥのローカル設定にＰＷの唯一の識別情報が設定されていない場合、先に行われた設定に基づいて、第１セグメントのＰＷの中の１つのＰＷを第１ＰＷとして決定し、ＳＰＥのローカル設定にＰＷの唯一の識別情報が設定されている場合、第１セグメントのＰＷのうち、ＰＷ関連情報が先に受信された１つのＰＷを第１ＰＷとして決定する。ここで、各ＰＷはいずれも１つの唯一の識別情報を有し、当該唯一の識別情報はＲＦＣにより定義されるもので、唯一の識別情報に含まれる内容もＲＦＣにより定義されるものである。ＳＰＥは、ＰＷの唯一の識別情報がローカルに設定されている場合、ＳＰＥに該ＰＷのローカル設定が存在することを表し、ＰＷの唯一の識別情報がローカルに設定されていない場合、ＳＰＥに該ＰＷのローカル設定が存在しないことを表す。
【００４８】
関連情報には、対応するＰＷのネクストホップアドレス、ＰＷ識別子、ＰＷタイプ、ＦＥＣタイプの中の少なくとも１つのパラメーターが更に含まれることが好ましい。
【００４９】
本実施例において更にインターフェースパラメーター同期装置を提供し、該装置は上述したインターフェースパラメーター同期方法を実現するためのものであり、装置実施例で説明する装置の具体的な実現プロセスは、方法実施例で既に詳しく説明したので、ここでは説明を省略する。
【００５０】
図６は、本発明の実施例に係るインターフェースパラメーター同期装置の構成を示す図で、図６に示すように、該装置は、第１受信モジュール６２と、第１送信モジュール６４と、を含み、ここで、第１受信モジュール６２はＳＰＥの第１セグメントのＰＷの中の第１ＰＷのリモートＴＰＥから送信された第１ＰＷに関連する情報を受信して記録するように構成され、ここで、第１ＰＷに関連する情報にラベルスイッチパスを確立するための第１ＰＷのリモートＴＰＥのインターフェースパラメーターが含まれ、第１送信モジュール６４は第１受信モジュール６２にカップリングされ、第１ＰＷに関連する情報をＳＰＥの第２セグメントのＰＷのリモートＴＰＥに送信するように構成される。
【００５１】
本発明の実施例に記載のモジュールや、ユニットはソフトウェアの方式で実現してもよいし、ハードウェアの方式で実現してもよい。本実施例で説明するモジュールや、ユニットはプロセッサに設置されることもでき、例えば、第１受信モジュール６２と、第１送信モジュール６４と、を含むプロセッサであることもできる。ここで、これらのモジュールの名称は当該モジュールそのものを限定するものではなく、例えば、第１受信モジュールを、「ＳＰＥの第１セグメントのＰＷの中の第１ＰＷのリモートＴＰＥから送信された第１ＰＷに関連する情報を受信して記録するモジュール」と記載することもできる。
【００５２】
また、本実施例の「第１受信モジュール」及び「第２受信モジュール」中の「第１」、「第２」等は対応するモジュールを識別し区別するためのものである。また、例えば、「第１受信モジュール」と「第２受信モジュール」は二つのモジュールを指すことができるが、その機能が類似している又は関連つけられているので、必ずしも二つであるとは限らなく、例えば、当該二つのモジュールを１つに統合させることもできる。
【００５３】
図７は本発明の実施例に係るインターフェースパラメーター同期装置の好適な構成を示す図の１で、図７に示すように、該装置は、ＳＰＥの第１セグメントのＰＷの中の第２ＰＷのリモートＴＰＥから送信された第２ＰＷに関連する情報を受信して記録するように構成される第２受信モジュール７２と、第２受信モジュール７２にカップリングされ、第２セグメントのＰＷのリモートＴＰＥに受信したインターフェースパラメーターの削除を指示するためのシグナル取り消しメッセージを第２セグメントのＰＷのリモートＴＰＥに送信するように構成される第２送信モジュール７４と、を更に含み、ここで、第２ＰＷに関連する情報にはラベルスイッチパスを確立するための第２ＰＷのリモートＴＰＥのインターフェースパラメーターが含まれることが好ましい。
【００５４】
図８は、本発明の実施例に係るインターフェースパラメーター同期装置の好適な構成を示す図の２で、図８に示すように、該装置は、第１送信モジュール６４と第２送信モジュール７４にカップリングされ、記録された第１ＰＷに関連する情報と第２ＰＷに関連する情報との中のリモートＴＰＥのインターフェースパラメーターが一致するか否かを判定するように構成される判定モジュール８２を更に含み、第２送信モジュール７４は、判定モジュール８２によって一致しないと判定された場合、シグナル取り消しメッセージを第２セグメントのＰＷのリモートＴＰＥに送信することが好ましい。
【００５５】
図９は、本発明の実施例に係るインターフェースパラメーター同期装置の好適な構成を示す図の３で、図９に示すように、該装置は、第２送信モジュール７４にカップリングされ、第２ＰＷに関連する情報を第２セグメントのＰＷのリモートＴＰＥに送信するように構成される第３送信モジュール９２を更に含むことが好ましい。
【００５６】
図１０は、本発明の実施例に係るインターフェースパラメーター同期装置の好適な構成を示す図の４で、図１０に示すように、該装置は、第１受信モジュール６２にカップリングされ、所定の戦略に基づいて、第１ＰＷを決定するように構成される決定モジュール１０２を更に含むことが好ましい。
【００５７】
所定の戦略は、第１セグメントのＰＷの中のＰＷに関連する情報を受信した後、ローカル設定を行う場合、設定において第１セグメントのＰＷのうち、１つのＰＷを第１ＰＷとして決定すること、又は、ローカル設定を行った後、第１セグメントのＰＷの中の１つのＰＷに関連する情報を受信する場合、第１セグメントのＰＷのうち、ＰＷ関連情報が先に受信された１つのＰＷを第１ＰＷとして決定すること、を含むことが好ましい。例えば、ＳＰＥのローカル設定にＰＷの唯一の識別情報が設定されていない場合、先に行われた設定に基づいて、第１セグメントのＰＷの中の１つのＰＷを第１ＰＷとして決定し、ＳＰＥのローカル設定にＰＷの唯一の識別情報が設定されている場合、第１セグメントのＰＷのうち、ＰＷ関連情報が先に受信された１つのＰＷを第１ＰＷとして決定する。
【００５８】
関連情報には、対応するＰＷのネクストホップアドレス、ＰＷ識別子、ＰＷタイプ、ＦＥＣタイプの中の少なくとも１つのパラメーターが更に含まれることが好ましい。
【００５９】
以下、好適な実施例を結合して説明する。
【００６０】
この好適な実施例は、ＭＳＰＷ冗長においてＳＰＥが１ホップ前のＦＥＣ情報を処理するメカニズムを提供し、ＭＳＰＷ冗長のシナリオでのＳＰＥ冗長のネットワーク構成環境において、ＳＰＥノードが受信したマスター／スタンバイ擬似ワイヤの１ホップ前のＦＥＣ情報中のインターフェースパラメーターが一致しない時の処理メカニズムに係っている。
【００６１】
本好適な実施例で提供する処理メカニズムは以下のステップを含む。
【００６２】
ＳＰＥがＰＷをローカルでバインドし（ステップ１）、
ＳＰＥの冗長なマスター／スタンバイＰＷのリモートＴＰＥが、ＰＷインターフェースパラメーターの設定を行い（ステップ２）、
ＴＰＥがＰＷＥ３シグナルを介して、それぞれ、ローカルに設定されたＰＷインターフェースパラメーターをＳＰＥに報知し（ステップ３）、
ＳＰＥが、マスター／スタンバイＰＷのリモートＴＰＥから報知されたＰＷＥ３シグナル情報を解析し、ローカル選択戦略１に基づいて、あるＰＷを選択して該ＰＷに関連する情報を記録し（ステップ４）、
ＳＰＥが、ＰＷＥ３シグナルメッセージを介して、記録されたＰＷのインターフェースパラメーターをそれぞれ、他のセグメントのマスター／スタンバイＰＷのリモートＴＰＥに報知し（ステップ５）、
ＳＰＥに記録されたＰＷが何かの原因でシングルセグメントのＰＷの取り消しが発生した場合、ＳＰＥが保護グループ中の、該ＰＷを保護するための他方のＰＷに関連する情報をローカルで再記録し（ステップ６）、
ステップ６を実行した後、ＳＰＥがローカル戦略２に基づいて、他のセグメントのマスター／スタンバイＰＷのリモートＴＰＥにＰＷＥ３シグナル取り消しメッセージを送信し（ステップ７）、
ステップ７を実行した後、各リモートＴＰＥのインターフェースパラメーターが一致するまで、上記ステップ５〜ステップ７を繰り返して実行する（ステップ８）。
【００６３】
ステップ２中のＰＷインターフェースパラメーターは、ＲＦＣ４４４６（ＩＥＴＦグループのＩＡＮＡ  Ａｌｌｏｃａｔｉｏｎｓ  ｆｏｒ  Ｐｓｅｕｄｏｗｉｒｅ  Ｅｄｇｅ  ｔｏ  Ｅｄｇｅ  Ｅｍｕｌａｔｉｏｎ（ＰＷＥ３）標準）に記載のインターフェース（Ｉｎｔｅｒｆａｃｅ）最大伝送ユニット（Ｍａｘｉｍｕｍ  Ｔｒａｎｓｍｉｓｓｉｏｎ  Ｕｎｉｔ、ＭＴＵと略称）、非同期転送モードセルの最大接続数量（Ｍａｘｉｍｕｍ  Ｎｕｍｂｅｒ  ｏｆ  ｃｏｎｃａｔｅｎａｔｅｄ  ＡＴＭ  ｃｅｌｌｓ）、回路エミュレーションオーバーパケット（Ｃｉｒｃｕｉｔ  Ｅｍｕｌａｔｉｏｎ  ｏｖｅｒ  Ｐａｃｋｅｔ、ＣＥＰと略称）／時分割多重化モード（Ｔｉｍｅ  Ｄｉｖｉｓｉｏｎ  Ｍｕｌｔｉｐｌｅｘｉｎｇ、ＴＤＭと略称）有効負荷ビット（Ｐａｙｌｏａｄ  Ｂｙｔｅｓ）、ＣＥＰ選択肢（ｏｐｔｉｏｎｓ）、要求された仮想ローカルエリアネットワーク身分識別子（Ｒｅｑｕｅｓｔｅｄ  Ｖｉｒｔｕａｌ  Ｌｏｃａｌ  Ａｒｅａ  Ｎｅｔｗｏｒｋ  Ｉｄｅｎｔｉｆｉｅｒ、Ｒｅｑｕｅｓｔｅｄ  ＶＬＡＮ  ＩＤと略称）、ＣＥＰ／ＴＤＭビットレート（ｂｉｔ−ｒａｔｅ）、フレームリレーデータリンク接続識別子長さ（Ｆｒａｍｅ−Ｒｅｌａｙ  Ｄａｔａ  Ｌｉｎｋ  Ｃｏｎｎｅｃｔｉｏｎ  Ｉｄｅｎｔｉｆｉｅｒ  Ｌｅｎｇｔｈ、ＦＲ  ＤＬＣＩ  Ｌｅｎｇｔｈと略称）、フラグメントインディケーター（Ｆｒａｇｍｅｎｔａｔｉｏｎ  ｉｎｄｉｃａｔｏｒ）、フレームチェックシーケンス保留インディケーター（Ｆｒａｍｅ  Ｃｈｅｃｋ  Ｓｅｑｕｅｎｃｅ  ｒｅｔｅｎｔｉｏｎ  ｉｎｄｉｃａｔｏｒ、ＦＣＳ  ｒｅｔｅｎｔｉｏｎ  ｉｎｄｉｃａｔｏｒと略称）、ＴＤＭ  ｏｐｔｉｏｎｓ、ＶＣＣＶパラメーター（ｐａｒａｍｅｔｅｒ）を含むことが好ましい。
【００６４】
ステップ４においてＳＰＥにより記録されたＰＷ関連情報は、ネクストホップアドレス、ＰＷ  ＩＤ  、ＰＷタイプ（ｔｙｐｅ）、ＦＥＣタイプを含むことが好ましい。
【００６５】
ステップ４中のローカル選択戦略１は、ＳＰＥがマスター／スタンバイＰＷマッピング（Ｍａｐｐｉｎｇ）メッセージを受信した後、ローカル設定を行う場合、マスター／スタンバイＰＷの中のメインＰＷを優先的に選択し、ＳＰＥがローカル設定を行った後、マスター／スタンバイＰＷ  Ｍａｐｐｉｎｇを受信する場合、マスター／スタンバイＰＷのうち、先にＭａｐｐｉｎｇが受信されたＰＷを優先的に選択することを含むことが好ましい。
【００６６】
ステップ６中の何かの原因は、ＬＤＰセッション変動、緩やかな再起動（Ｇｒａｃｅｆｕｌ  Ｒｅｓｔａｒｔ、ＧＲと略称）がオーバータイム、設定の削除を含むことが好ましい。
【００６７】
ステップ７中のローカル戦略２は、ＳＰＥによりローカルに記録されたＰＷのリモートインターフェースパラメーターとＳＰＥの他のセグメントのマスター／スタンバイＰＷから送信されたＭａｐｐｉｎｇ中のインターフェースパラメーターとが一致しないことを含むことが好ましい。
【００６８】
本好適な実施例に係るＳＰＥノードが受信したマスター／スタンバイＰＷの１ホップ前のＦＥＣ情報中のインターフェースパラメーターが一致しない時の処理メカニズムによると、相手側の機器が即時にローカル機器のインターフェースパラメーターの更新変化を感知するようにし、最新のインターフェースパラメーターをＰＷＥ３シグナルを介して相手側に送信することで、相手側の機器が正確なインターフェースパラメーター値を用いて協商してＰＷを確立することができる。
【００６９】
以下、図面を結合して上記好適な実施例を説明する。
【００７０】
図１１は、本発明の好適な実施例に係るインターフェースパラメーターが一致しない時の処理メカニズムのシグナル相互通信を示す図で、図１１に示すように、ＴＰＥ１上でまず、擬似ワイヤ関連パラメーターの設定が行われ、ローカルなＰＷインターフェースのパラメーター設定が含まれる。ＴＰＥ１は、設定が完成した後、ＰＷＥ３シグナルを発し、ＰＷ  Ｍａｐｐｉｎｇメッセージを介して、ＴＰＥ１上の擬似ワイヤに関連する情報（インターフェースパラメーターを含む）をＳＰＥ１機器に報知する。ＳＰＥ１は、ＴＰＥ１からのＭａｐｐｉｎｇメッセージを受信し、解析してＴＰＥ１のＰＷ関連情報（インターフェースパラメーターを含む）を保存し、同時に、ＳＰＥ１はローカル戦略１に基づいて、ＴＰＥ１とＳＰＥ１との間のＰＷを記録し、該ＰＷのリモートインターフェースパラメーターであるＴＰＥ１のインターフェースパラメーターを受信してＰＷ  Ｍａｐｐｉｎｇメッセージを構成し、ＴＰＥ３とＴＰＥ４へ送信する。ＴＰＥ３とＴＰＥ４はＳＰＥ１から送信されたＰＷ  Ｍａｐｐｉｎｇメッセージを受信し、解析してインターフェースパラメーターを含む関連情報を保存する。そして、ＴＰＥ２上で擬似ワイヤ関連パラメーターの設定が行われ、ＴＰＥ２はＳＰＥ１へＰＷＥ３シグナルを発し、ＰＷ  Ｍａｐｐｉｎｇメッセージを介して、インターフェースパラメーターを含むＴＰＥ２の擬似ワイヤ関連情報をＳＰＥ１機器に報知し、ＳＰＥ１はＴＰＥ２からのＰＷ  Ｍａｐｐｉｎｇメッセージを受信し、解析してインターフェースパラメーターを含むＴＰＥ２のＰＷ関連情報を保存する。ＳＰＥ１により記録されたＰＷ、即ちＴＰＥ１とＳＰＥ１との間のＰＷにＰＷ取り消しが発生した時、ＳＰＥ１はＴＰＥ２とＳＰＥ１との間のＰＷを再記録し、ローカル戦略２に基づいて、ＴＰＥ３とＴＰＥ４へラベル取り消し（Ｌａｂｅｌ  Ｗｉｔｈｄｒａｗ  ）メッセージ（上述したシグナル取り消しメッセージに相当）をトリガーし、ＴＰＥ３とＴＰＥ４はＬａｂｅｌ  Ｗｉｔｈｄｒａｗメッセージを受信した後、ローカルに保存されていたリモートインターフェースパラメーターを削除する。次に、ＳＰＥ１は記録されたＰＷのリモートインターフェースパラメーターであるＴＰＥ２のインターフェースパラメーターを取得してＰＷ  Ｍａｐｐｉｎｇメッセージを構成し、ＴＰＥ３とＴＰＥ４に送信し、ＴＰＥ３とＴＰＥ４はＳＰＥ１から送信されたＰＷ  Ｍａｐｐｉｎｇメッセージを受信し、解析してインターフェースパラメーターを含む関連情報を保存する。
【００７１】
上述のように、本発明の上記実施例又は好適な実施例によれば、ＳＰＥノードがマスター／スタンバイ擬似ワイヤの１ホップ前のＦＥＣ情報を受信した時、ＦＥＣ情報中のインターフェースパラメーターが一致しない場合の処理メカニズムを提供し、ＴＰＥ１とＴＰＥ２上のＰＷインターフェースパラメーターの設定が一致しない時、ＳＰＥは上述した処理メカニズムによって、ＴＰＥ３とＴＰＥ４がリモートインターフェースパラメーターを即時に更新し、該インターフェースパラメーター値を用いて協商してＰＷを確立することを確保できる。
【産業上の利用可能性】
【００７２】
本発明の実施例によれば、ＳＰＥの第１セグメントのＰＷの中の第１ＰＷのリモートＴＰＥから送信された該第１ＰＷに関連する情報を受信して記録し、そして、該第１ＰＷに関連する情報をＳＰＥの第２セグメントのＰＷのリモートＴＰＥに送信することで、相手側の機器がローカル機器のインターフェースパラメーターの更新を即時に感知できないことによる問題を解決し、相手側の機器が正確なインターフェースパラメーター値を用いて協商してＰＷを確立することができ、ここで、該第１ＰＷに関連する情報にラベルスイッチパスを確立するための第１ＰＷのリモートＴＰＥのインターフェースパラメーターが含まれる。
【００７３】
もちろん、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもでき、また、場合によって、ここで示した又は説明したステップを異なる順で実行することもでき、或いは、それらを夫々集積回路モジュールに作製し、或いはそのうちの複数のモジュール又はステップを単一の集積回路モジュールに作製して実現可能であることは明らかなことである。このように、本発明は如何なる特定のハードウェアとソフトウェアの組み合わせにも限定されない。
【００７４】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【図１】
0006371399.tif 000002
【図２】
0006371399.tif 000003
【図３】
0006371399.tif 000004
【図４ａ】
0006371399.tif 000005
【図４ｂ】
0006371399.tif 000006
【図５】
0006371399.tif 000007
【図６】
0006371399.tif 000008
【図７】
0006371399.tif 000009
【図８】
0006371399.tif 000010
【図９】
0006371399.tif 000011
【図１０】
0006371399.tif 000012
【図１１】
0006371399.tif 000013